(57)【要約】【課題】優れたダイナミックレンジを得つつ、省エネルギーで光源への負荷を抑えて長寿命化する【解決手段】画像表示装置は、画像の同一領域を照明する複数の光源１０４と光源１０４からの射出光を変調するライトバルブ（Ｌ／Ｖ）１０７、１１０とを備える。この画像表示装置を制御する画像表示制御装置は、前述の領域に対応する映像信号に基づき、複数の光源１０４の合計の発光量とライトバルブ（Ｌ／Ｖ）１０７、１１０の透過率とを決定する変調制御値演算回路１００を備える。【選択図】図１
2007248597.tif 000002
【特許請求の範囲】
【請求項１】
変調素子と前記変調素子を照明する複数の光源とを備える画像表示装置を制御する画像表示制御装置において、入力される画像信号に基づき、前記複数の光源の合計の発光量と前記変調素子の変調度とを決定する制御値演算手段を備えること
を特徴とする画像表示制御装置。
【請求項２】
前記光源各々の累積負荷を記憶する累積負荷記憶手段と、
前記制御値演算手段が決定した発光量を受けると、前記累積負荷記憶手段を参照して、前記光源の間で累積負荷が平準化するように、前記複数の光源の中から発光する光源を選択する光源選択手段と、を備えること
を特徴とする請求項１に記載の画像表示制御装置。
【請求項３】
前記累積負荷記憶手段は、前記光源各々の累積発光時間を記憶し、
前記光源選択手段は、前記累積負荷記憶手段を参照して、発光する光源として累積発光時間の少ない光源を選択すること
を特徴とする請求項２に記載の画像表示制御装置。
【請求項４】
請求項１から請求項３のいずれかの項に記載の画像制御装置に投写光学系を設けて構成したこと
を特徴とするプロジェクタ。
【請求項５】
変調素子と前記変調素子を照明する複数の光源とを備える画像表示装置を制御する制御方法において、入力される画像信号に基づき、前記複数の光源の合計の発光量と前記変調素子の変調度とを決定する過程を備えること
を特徴とする制御方法。
【発明の詳細な説明】
【技術分野】
【０００１】
本発明は、画像表示制御装置、プロジェクタおよびその制御方法にかかわり、特に、多灯式の光源を備える投写型画像表示装置の画像表示制御装置、プロジェクタおよびその制御方法に関する。
【背景技術】
【０００２】
従来の多灯式の光源としては様々なものが存在するが、これらは複数の光源の射出光を集めることで明るくすること、つまり輝度の高い光源を得ることを目的としている。
一方で、光源と、２枚のフライアイレンズからなる均一照明手段と、これらフライアイレンズの間に設置され、光源からの射出光を調節する遮光板からなる調光手段を備えることで、光量を調節可能としている照明装置もある（例えば、特許文献１参照）。
また、投写型画像表示装置においては、光源からの射出光を変調する変調素子を多段にして、変調可能な階調範囲を広げて、ダイナミックレンジを大きくすることも行われている。
【特許文献１】再公表特許WO２００３／０３２０８０号公報
【発明の開示】
【発明が解決しようとする課題】
【０００３】
しかしながら、特許文献１に示す照明装置を用いた画像表示装置にあっては、さらに、大きなダイナミックレンジを得るためには、照明装置の輝度を高くする必要があるので、光源への負荷が重くなるという問題がある。
【０００４】
本発明は、このような事情に鑑みてなされたもので、その目的は、優れたダイナミックレンジを得つつ、光源への負荷を抑えて長寿命化する画像表示制御装置、プロジェクタおよびその制御方法を提供することにある。
【課題を解決するための手段】
【０００５】
この発明は上述した課題を解決するためになされたもので、本発明の画像表示制御装置は、変調素子と前記変調素子を照明する複数の光源とを備える画像表示装置を制御する画像表示制御装置において、入力される画像信号に基づき、前記複数の光源の合計の発光量と前記変調素子の変調度とを決定する制御値演算手段を備えることを特徴とする。
【０００６】
また、本発明の制御方法は、変調素子と前記変調素子を照明する複数の光源とを備える画像表示装置を制御する制御方法において、入力される画像信号に基づき、前記複数の光源の合計の発光量と前記変調素子の変調度とを決定する過程を備えることを特徴とする。
【０００７】
これにより、本発明の画像表示制御装置（または制御方法）は、光源の発光量を必要最低限に抑えつつ、光源の発光量と変調素子の変調度を組み合わせて画像を表示できるので、優れたダイナミックレンジを得つつ、光源の負荷を抑えて長寿命化することができる。
【０００８】
また、本発明の画像表示制御装置は、前述の画像表示制御装置であって、前記光源各々の累積負荷を記憶する累積負荷記憶手段と、前記制御値演算手段が決定した光源数を受けると、前記累積負荷記憶手段を参照して、前記光源の間で累積負荷が平準化するように、前記複数の光源の中から発光する光源を選択する光源選択手段と、を備えることを特徴とする。
これにより、本発明の画像表示制御装置は、複数ある光源にかかる負荷を平準化するため、特定の光源にかかる負荷が重くなることで劣化や故障しやすくなることを防ぎ、優れたダイナミックレンジを得つつ、光源を長寿命化することができる。
【０００９】
また、本発明の画像表示制御装置は、前述の画像表示制御装置であって、前記累積負荷記憶手段は、前記光源各々の累積発光時間を記憶し、前記光源選択手段は、前記累積負荷記憶手段を参照して、発光する光源として累積発光時間の少ない光源を選択することを特徴とする。
これにより、本発明の画像表示制御装置は、複数ある光源のうち、特定の光源だけ発光時間が長くなることで故障しやすくなることを防ぎ、優れたダイナミックレンジを得つつ、光源を長寿命化することができる。
【００１０】
また、本発明のプロジェクタは、前述した画像表示制御装置のいずれかに投写光学系を設けて構成したことを特徴とする。
【発明を実施するための最良の形態】
【００１１】
以下、図面を参照して、本発明の実施の形態について説明する。図１は、この発明の一実施形態による画像表示制御装置の構成を示す概略ブロック図である。
変調制御値演算回路（制御値演算手段）１００は、映像信号Ｒｉ、Ｇｉ、Ｂｉが入力されると、これらに基づき、光源１０４の合計の発光量を制御するための調光制御値Ｍ１と、光源１０４の射出光を色ごとの輝度変調（以降、略して「色変調」と呼ぶ。）するためのライトバルブ（Ｌ／Ｖ）１０７の透過率を制御するための色制御値Ｒ、Ｇ、Ｂと、ライトバルブ１０７を通過した光源１０４の射出光を輝度変調するためのライトバルブ（Ｌ／Ｖ）１１０の透過率を制御するための輝度制御値Ｍ２とを算出する。調光制御値Ｍ１は、１フレーム分の映像信号Ｒｉ、Ｇｉ、Ｂｉの中から最大輝度の値を抽出して、光源１０４の射出光が該輝度となる値を算出する。輝度制御値Ｍ２は、各画素について、映像信号Ｒｉ、Ｇｉ、Ｂｉの中から最大輝度の値を抽出し、該輝度の値と調光制御値Ｍ１による光源１０４の射出光の輝度の値との比に基づき算出する。色制御値Ｒ、Ｇ、Ｂは、各画素の映像信号Ｒｉ、Ｇｉ、Ｂｉの輝度と調光制御値Ｍ１および輝度制御値Ｍ２によるライトバルブ１０７の透過光の輝度の値との比に基づき算出する。
【００１２】
光源選択回路（光源選択手段）１０１は、調光制御値Ｍ１に基づき発光する光源１０４の個数と各光源１０４の発光量を決め、光源累積負荷記憶部１０２を参照して各光源１０４の累積発光時間を取得し、累積発光時間の少ない光源１０４から発光するように割り当てて、各光源１０４の発光量を指示する。また、光源選択回路１０１は、光源累積負荷記憶部１０２に記憶されている各光源１０４の累積発光時間を、該割り当てに基づき更新する。
光源累積負荷記憶部（累積負荷記憶手段）１０２は、各光源１０４の累積発光時間が記録されている。
【００１３】
光源駆動回路１０３は、光源選択回路１０１から各光源１０４の発光量の指示を受けると、該指示に従い、各光源１０４に駆動電圧を加える。
光源１０４は、ＬＥＤ（Light Electric Diode）アレイ、ハロゲンランプ、放電管などの光源であり、図２に例を示すように、複数の光源１０４からの射出光は重畳して一つの光束にして出力される。図２において、全偏光化素子２００は、入射光をＳ偏光化する。全偏光化素子２０１は、入射光をＰ偏光化する。偏光ビームスプリッタ２０２は、Ｐ偏光を透過して、Ｓ偏光を反射する。図２に示す照明装置では、二つの光束を、一つはＰ偏光化する全偏光化素子２０１を通し、もう一つはＳ偏光化する全偏光化素子を通して、偏光ビームスプリッタ２０２の別々の面から入射させて合成して一つの光束に重畳することを繰り返すことで、２のｎ乗個の光源１０４の射出光を重畳して一つの光束にして出力している。
【００１４】
図１におけるＶＴ−ＬＵＴ１０５は、ＲＧＢ成分各々に対して一つずつ設置されており、変調制御値演算回路１００が生成した色制御値Ｒ、Ｇ、Ｂのいずれかの数値と、各ライトバルブ（Ｌ／Ｖ）１０７の駆動を行う電圧値ＶＴＣとの対応を示すルックアップテーブルを有しており、入力される色制御値Ｒ、Ｇ、Ｂに対応した電圧値ＶＴＣをこのルックアップテーブルから読み出して出力することにより、電圧値ＶＴＣの生成を行う。
ドライバ回路（Ｄｅｃ  Ｄｒｉｖｅｒ）１０６は、Ｄ／Ａ変換器を内蔵しており、ＶＴ−ＬＵＴ１０５が決定した電圧値ＶＴＣを、アナログの電圧値に変換し、ライトバルブ１０７へ出力させて、ライトバルブ１０７を駆動させ、ライトバルブ１０７に入射される光に対する色変調の処理を行わせる。
ライトバルブ１０７は、各画素における透過率を制御することにより色変調を行う液晶パネルなどの変調素子である。
【００１５】
ＶＴ−ＬＵＴ１０８は、変調制御値演算回路１００が生成した輝度制御値Ｍ２の数値と、ライトバルブ（Ｌ／Ｖ）１１０の駆動を行う電圧値ＶＴとの対応を示すルックアップテーブルを有しており、入力される輝度制御値Ｍ２に対応した電圧値ＶＴをこのルックアップテーブルから読み出して出力することにより、電圧値ＶＴの生成を行う。
ドライバ回路（Ｄｅｃ  Ｄｒｉｖｅｒ）１０９は、Ｄ／Ａ変換器を内蔵しており、ＶＴ−ＬＵＴ１０８が決定した電圧値ＶＴを、アナログの電圧値に変換し、ライトバルブ１１０へ出力させて、ライトバルブ１１０を駆動させ、ライトバルブ１１０に入射される光に対する色変調の処理を行わせる。
ライトバルブ１１０は、各画素における透過率を制御することにより輝度変調を行う液晶パネルなどの変調素子である。
【００１６】
次に、この画像表示制御装置の動作を図３のフローチャートを参照して説明する。変調制御値演算回路１００は、１フレーム分の映像信号Ｒｉ、Ｇｉ、Ｂｉを入力されると、これらの中から最大輝度の値を抽出する（Ｓ１）。変調制御値演算回路１００は、光源１０４の射出光が該輝度となる値を調光制御値Ｍ１として光源選択回路１０１に出力する。次に、変調制御値演算回路１００は、各画素について、映像信号Ｒｉ、Ｇｉ、Ｂｉの中から最大輝度の値を抽出し、該輝度の値と調光制御値Ｍ１による光源１０４の射出光の輝度の値との比を輝度制御値Ｍ２としてＶＴ−ＬＵＴ１０８に出力する。次に、各画素の映像信号Ｒｉ、Ｇｉ、Ｂｉの輝度と調光制御値Ｍ１および輝度制御値Ｍ２によるライトバルブ１０７の透過光の輝度の値との比を色制御値Ｒ、Ｇ、ＢとしてＶＴ−ＬＵＴ１０５に出力する（Ｓ２）。
【００１７】
光源選択回路１０１は、調光制御値Ｍ１を受けると、これに基づき発光する光源１０４の個数と各光源１０４の発光量を決める（Ｓ３）。ここでは、個数および発光量決定方法の一例として、一つの光源１０４が発光する最大光量に相当する制御値Ｍｍで、調光制御値Ｍ１を除算し、その商Ｋと余りｍを求めて、Ｋ個の光源１０４を制御値Ｍｍにより最大光量で発光し、１個の光源１０４を制御値ｍにより発光するとする。
【００１８】
次に、光源選択回路１０１は、光源累積負荷記憶部１０２を参照して、累積発光時間が最も少ない光源１０４から順にＫ＋１個を発光する光源１０４として選択し、例えば、最初のＫ個を制御値Ｍｍで、残りの１個を制御値ｍにて発光するよう光源駆動回路１０３に指示する（Ｓ４）とともに、光源累積負荷記憶部１０２に記憶されている発光を指示した光源１０４に関する累積発光時間に１フレームの表示時間分を加算する。光源駆動回路１０３は、光源１０４の発光指示を受けると、これに基づき指定された光源１０４に対して、指定された制御値分の駆動電圧を加える（Ｓ５）。
このように、全ての光源１０４を最大で発光し、ライトバルブ１０７、１１０で輝度を調節する場合と比較して、光源選択回路１０１は、調光制御値Ｍ１に基づき、発光する光源１０４の個数と発光量を決めるので、発光量を必要最小限にして、光源１０４が消費するエネルギーを減らすことができる。
【００１９】
一方、ＶＴ−ＬＵＴ１０５は、色制御値Ｒ、Ｇ、Ｂを受けるとルックアップテーブルを参照して、電圧値ＶＴＣを取得し、ドライバ回路１０６に出力する。ドライバ回路１０６は、電圧値ＶＴＣを受けると、これをアナログの電圧値に変換し、ライトバルブ１０７へ出力させて、ライトバルブ１０７を駆動させる。また、ＶＴ−ＬＵＴ１０８は、輝度制御値Ｍ２を受けるとルックアップテーブルを参照して、電圧値ＶＴを取得し、ドライバ回路１０９に出力する。ドライバ回路１０９は、電圧値ＶＴを受けると、これをアナログの電圧値に変換し、ライトバルブ１１０へ出力させて、ライトバルブ１１０を駆動させる（Ｓ６）。
【００２０】
なお、本実施形態において、複数の光源１０４による射出光は、一つの光束に重畳されるとして説明したが、複数の光束に重畳されて、それぞれの光束が、画像を分割した各領域に対応するライトバルブ１０７、１１０の領域に入射するようにしてもよい。この場合、変調制御値算出回路１００では、画像を分割した各領域の映像信号の中から最大輝度値を抽出し、この最大輝度値に基づき、該領域に対応する光束にその射出光が重畳される光源１０４への調光制御値を算出する。つまり、調光制御値は、画像を分割した領域毎に算出することになる。さらに、光源選択回路１０１、光源累積負荷記憶部１０２、光源駆動回路１０３も、画像を分割した領域毎に備える必要がある。また、輝度制御値Ｍ２および色制御値Ｒ、Ｇ、Ｂについては、該当する画素を含む領域に対応する調光制御値を用いて、上記実施形態と同様にして変調制御値算出回路１００が算出する。
また、各色ごとに別々の光源で、且つ、各色複数の光源で構成され、それぞれＲＧＢ成分毎のライトバルブ１０７に入射するようにしてもよい。この場合は、各色ごとに最大輝度及び配分を演算させることになる。
【００２１】
また、本実施形態において、光源累積負荷記憶部１０２には、累積発光時間が記憶されているとして説明したが、光源の種類に応じて、該光源の負荷となり該光源を劣化させる原因となる点灯回数、発光時間と発光量（制御値もしくは光源１０４へ加える電圧や電流で表される）との積、もしくはこれらの組合せなどを記憶していてもよい。この場合、光源選択回路１０１は、これら光源累積負荷記憶部１０２に記憶されている値に基づき、発光する光源を割り当てる。また、点灯回数を記憶している場合は、発光する光源を割り当てる際に、各光源の現在の点灯状態も加味して、負荷が少なく（点灯回数が少なく）なるように割り当ててもよい。つまり、３個点灯から５個点灯というように、点灯個数が増える場合は、現在点灯中のもの３個と、現在点灯していないものの中から点灯回数が少ないもの２個とをあわせて５個を光源選択回路１０１は選択し、５個点灯から３個点灯というように、点灯個数が減る場合は、現在点灯しているものの中から点灯回数が多いもの３個を光源選択回路１０１は選択するとしてもよい。
【００２２】
また、本実施形態において、画像信号として、動画像の各画素のＲＧＢ成分の信号である映像信号Ｒｉ、Ｇｉ、Ｂｉが変調制御値演算回路１００に入力されるとして説明したが、静止画像の各画素のＲＧＢ成分の信号が入力されてもよい。
【００２３】
画像表示制御装置が用いられる表示装置の一例として、光学的に直列に配置された２つの光変調素子を有する投写型表示装置の構成を簡単に説明する。図４は、投写型表示装置、すなわちプロジェクタの構成例を示すものである。この投写型表示装置は、照明装置５１０と、照明装置５１０から入射した光の輝度分布を均一化する均一照明手段５２０と、均一照明手段５２０から入射される入射光のうちの３色（Ｒ，Ｇ，Ｂ）の輝度をそれぞれ変調する色変調部５３０と、色変調部５３０から入射した光をリレーするリレーレンズ５４０と、リレーレンズ５４０から入射した光の全波長領域の輝度を変調する輝度変調液晶ライトバルブル５５０と、輝度変調液晶ライトバルブ５５０から入射した光をスクリーン（不図示）に投写する投写レンズ５６０とで構成されている。
【００２４】
照明装置５１０は、図２または図５に例を示すような、複数の光源からの射出光を重畳して、一つの光束にして射出する照明装置である。図５に示す照明装置では、光源６００ａの射出光は、偏光ビームスプリッタ６０２ａと１／４波長板６０１ａを有する全偏光化素子６０４ａに入射する。偏光ビームスプリッタ６０２ａ内にてＳ偏光は２回反射して射出し、Ｐ偏光はそのまま透過する。偏光ビームスプリッタ６０２ａから射出したＰ偏光は、１／４波長板６０１ａを通り、Ｓ偏光に変換される。一方、光源６００ｂの射出光は、偏光ビームスプリッタ６０２ｂと１／４波長板６０１ｂを有する全偏光化素子６０４ｂに入射する。偏光ビームスプリッタ６０２ｂ内にてＳ偏光は２回反射して射出し、Ｐ偏光はそのまま透過する。偏光ビームスプリッタ６０２ｂから射出したＳ偏光は、１／４波長板６０１ｂを通り、Ｐ偏光に変換される。
【００２５】
これにより、偏光ビームスプリッタ６０３には、光源６００ａ側からはＳ偏光が、光源６００ｂ側からはＰ偏光が入射される。偏光ビームスプリッタ６０３内では、Ｓ偏光が反射して、Ｐ偏光はそのまま透過するため、Ｓ偏光とＰ偏光が重畳された光束が射出する。
【００２６】
照明装置５１０から射出した光束は第１フライアイレンズ５２１、第２フライアイレンズ５２２等が順次設置された均一照明手段５２０で均一化される。
【００２７】
均一照明手段５２０を射出した光は色変調部５３０に入射し、３色（Ｒ，Ｇ，Ｂ）に分離され、それぞれの色成分を、図１に示す色変調制御系が生成する色制御値ＶＴＣを、ドライバ回路１０６により電圧値に変換し、この制御信号により変調する色変調液晶ライトバルブ５３１（色成分Ｒに対応するライトバルブ１０７）、５３２（色成分Ｇに対応するライトバルブ１０７）、５３３（色成分Ｂに対応するライトバルブ１０７）によって変調を受けて射出される。
【００２８】
変調された３色光（Ｒ，Ｇ，Ｂ）はクロスダイクロイックプリズム５３４によって合成されリレーレンズ５４０に射出する。ここで、色変調液晶ライトバルブ５３１はＲ成分用、色変調液晶ライトバルブ５３２はＧ成分用、色変調液晶ライトバルブ５３３はＢ成分用の光変調素子をそれぞれ形成し、ダイクロイックミラー５３５はＲ成分の光を透過させ、ダイクロイックミラー５３６はＢ成分の光を透過させる。また、色変調液晶ライトバルブ５３１に対しては反射ミラー５３７が設けられ、色変調液晶ライトバルブ５３３に対しては、リレーレンズ５３８と２個の反射ミラー５３９ａおよび５３９ｂが設けられている。
【００２９】
リレーレンズ５４０を射出された変調光はもう一方の輝度変調液晶ライトバルブ５５０（輝度変調用のライトバルブ１１０）に入射し、第二の変調を受けて射出される。輝度変調液晶ライトバルブ５５０では、入射した光の全波長領域の輝度を輝度制御値ＶＴにより変調し、その変調光は投写レンズ５６０へ射出され、投写レンズ５６０によって図示しないスクリーンに投影される。
この様に投影画像は光学的に直列に配置された照明装置５１０が画像単位の調光を行うことと、それぞれの光変調素子（輝度変調液晶ライトバルブ５５０および色変調液晶ライトバルブ５３１、５３２、５３３）が画素単位で変調を行うことで形成される。
【００３０】
なお、上述の実施形態では、ライトバルブとして、透過型の液晶ライトバルブを用いた構成を説明したが、反射型の液晶ライトバルブ、微小ミラーアレイデバイス等を採用してもよい。
また、上述の実施形態では、光学的に直列に配置された２つの光変調素子を有する２変調系の多灯式投写型表示装置の構成を用いて説明したが、本発明は、光学的に直列に配置された２つの光変調素子を有さない１変調系の多灯式投写型表示装置にも適用できる。このとき、多灯式投写型表示装置がカラー表示であれば、図１におけるライトバルブはＬ／Ｖ１０７のみとなり、変調制御値演算回路１００は、映像信号Ｒｉ、Ｇｉ、Ｂｉの最大輝度から調光制御値Ｍ１を算出し、映像信号Ｒｉ、Ｇｉ、Ｂｉと調光制御値Ｍ１から色制御値Ｒ、Ｇ、Ｂを算出して出力する。また、図１と同様に図４におけるライトバルブは、色変調液晶ライトバルブ５３１、５３２、５３３のみとなる。
【００３１】
また、図１における変調制御値演算回路１００、光源選択回路１０１、ＶＴ−ＬＵＴ１０５、ＶＴ−ＬＵＴ１０５の機能を実現するためのプログラムをコンピュータ読み取り可能な記録媒体に記録して、この記録媒体に記録されたプログラムをコンピュータシステムに読み込ませ、実行することにより画像表示制御を行ってもよい。なお、ここでいう「コンピュータシステム」とは、ＯＳや周辺機器等のハードウェアを含むものとする。
【００３２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３３】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００３４】
本発明は、多灯式の光源を備える投写型表示装置を制御する画像表示制御装置に用いて好適であるが、これに限られるものではない。
【図面の簡単な説明】
【００３５】
【図１】この発明の一実施形態による画像表示制御装置の構成を示すブロック図である。
【図２】同実施形態における多灯式の照明装置の構成の例を説明する図である。
【図３】同実施形態における画像表示制御装置の動作を説明するフローチャートである。
【図４】同実施形態における２変調投写型ＨＤＲディスプレイ（プロジェクタ）の構成の例を示すブロック図である。
【図５】同実施形態における多灯式の照明装置の構成の例を説明する図である。
【符号の説明】
【００３６】
１００…変調制御値演算回路
１０１…光源選択回路
１０２…光源累積負荷記憶部
１０３…光源駆動回路
１０４…光源
１０５…ＶＴ−ＬＵＴ
１０６…Ｄｅｃ  Ｄｒｉｖｅｒ（ドライバ回路）
１０７…Ｌ／Ｖ（ライトバルブ）
１０８…ＶＴ−ＬＵＴ
１０９…Ｄｅｃ  Ｄｒｉｖｅｒ（ドライバ回路）
１１０…Ｌ／Ｖ（ライトバルブ）
５１０…照明装置
５２０…均一照明手段
５２１…第１フライアイレンズ
５２２…第２フライアイレンズ
５３０…色変調部
５３１、５３２、５３３…色変調液晶ライトバルブ（ライトバルブ１０７）
５３４…クロスダイクロイックプリズム
５３５、５３６…ダイクロイックミラー
５３７…反射ミラー
５３８…リレーレンズ
５３９ａ、５３９ｂ…反射ミラー
５４０…リレーレンズ
５５０…輝度変調液晶ライトバルブ（ライトバルブ１１０）
５６０…投写レンズ
【図１】
2007248597.tif 000003
【図２】
2007248597.tif 000004
【図３】
2007248597.tif 000005
【図４】
2007248597.tif 000006
【図５】
2007248597.tif 000007